【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
印刷すべき文書データについて断裁目印の位置制御を行うか否かの設定を受け付ける設定受付手段と、
該印刷すべき文書データの面付け設定の種類を判定する判定手段と、
前記位置制御を行うとの設定を受け付けた場合に、前記判定手段における判定結果に基づき、前記印刷すべき文書データが配置される用紙における断裁目印の位置を決定する決定手段と、
前記決定手段により決定された断裁目印の位置に従って、該断裁目印を表す描画データを生成する断裁目印データ生成手段と、
前記文書データと前記描画データとから印刷データを生成する印刷データ生成手段とを備え、
前記断裁目印データ生成手段は、断裁される用紙群の先頭の用紙に対して断裁目印が付加され、先頭とならない用紙に対して断裁目印が付加されないように、断裁目印を表す描画データを生成することを特徴とする印刷データ生成装置。
【請求項２】
前記判定手段により、前記面付け設定の種類が、中綴じと判定された場合に、
前記決定手段では、二つ折り処理後の断裁時に先頭ページとなる、前記文書データにおける先頭ページ又は最終ページのいずれか一方を、前記断裁目印の位置として決定することを特徴とする請求項１に記載の印刷データ生成装置。
【請求項３】
前記判定手段により、前記面付け設定の種類が、折り丁と判定された場合に、
前記決定手段では、折り処理後の断裁時に先頭ページとなる前記文書データのページ番号を有するページを、前記断裁目印の位置として決定し、先頭ページとならないページ番号を有するページは、断裁目印の位置として決定しないことを特徴とする請求項１に記載の印刷データ生成装置。
【請求項４】
前記判定手段により、前記面付け設定の種類が、ペラと判定された場合に、
前記決定手段では、断裁される用紙群の先頭の用紙に配置される文書データの全てのページについて前記断裁目印の位置を決定することを特徴とする請求項１に記載の印刷データ生成装置。
【請求項５】
前記先頭の用紙とは、前記印刷データを印刷した印刷物が前記断裁工程において断裁される際に、最上面に位置する用紙であることを特徴とする請求項１乃至４のいずれか１項に記載の印刷データ生成装置。
【請求項６】
印刷周期の設定を受け付ける周期設定手段を更に備え、
前記決定手段は、前記印刷周期の先頭に位置する用紙における前記断裁目印の位置を決定し、
前記印刷データ生成手段は、決定された前記位置に従い、前記印刷周期の先頭に位置する用紙に該断裁目印を含む印刷データを生成することを特徴とする請求項１乃至５のいずれか１項に記載の印刷データ生成装置。
【請求項７】
前記印刷データ生成手段は、
前記印刷周期の先頭に位置する用紙の排紙位置の変更を指示する配置位置変更コマンドを含めて前記印刷データを生成することを特徴とする請求項６に記載の印刷データ生成装置。
【請求項８】
前記断裁目印には、少なくとも、前記印刷すべき文書データのページ間の断裁位置を示す第１の目印、及び、前記ページのコーナーにおける断裁位置を示す第２の目印のいずれかが含まれることを特徴とする請求項１乃至７のいずれか１項に記載の印刷データ生成装置。
【請求項９】
前記決定手段は、ページの中心位置を示す第３の目印及び用紙の折り位置を示す第４の目印を含めて前記断裁目印の位置を決定し、
前記印刷データ生成手段は、前記断裁目印が含まれる用紙にのみ前記第３及び第４の目印を含めて前記印刷データを生成することを特徴とする請求項１乃至８のいずれか１項に記載の印刷データ生成装置。
【請求項１０】
前記設定受付手段において、前記位置制御を行わないとの設定を受け付けた場合に、前記決定手段は、前記印刷すべき文書データの全てのページに対応する全ての用紙について、前記断裁目印の位置を決定し、
前記印刷データ生成手段は、決定された前記断裁目印の位置に従い、前記全ての用紙に対して該断裁目印を含む印刷データを生成することを特徴とする請求項１乃至９のいずれか１項に記載の印刷データ生成装置。
【請求項１１】
印刷すべき文書データについて断裁目印の位置制御を行うか否かの設定を受け付ける設定受付工程と、
該印刷すべき文書データの面付け設定の種類を判定する判定工程と、
前記位置制御を行うとの設定を受け付けた場合に、前記判定工程における判定結果に基づき、前記印刷すべき文書データが配置される用紙における断裁目印の位置を決定する決定工程と、
前記決定工程において決定された断裁目印の位置に従って、該断裁目印を表す描画データを生成する断裁目印データ生成工程と、
前記文書データと前記描画データとから印刷データを生成する印刷データ生成工程とを備え、
前記断裁目印データ生成工程では、断裁される用紙群の先頭の用紙に対して断裁目印が付加され、先頭とならない用紙に対して断裁目印が付加されないように、断裁目印を表す描画データが生成されることを特徴とする印刷データ生成装置の制御方法。
【請求項１２】
前記判定工程において、前記面付け設定の種類が、中綴じと判定された場合に、
前記決定工程では、二つ折り処理後の断裁時に先頭ページとなる、前記文書データにおける先頭ページ又は最終ページのいずれか一方が、前記断裁目印の位置として決定されることを特徴とする請求項１１に記載の印刷データ生成装置の制御方法。
【請求項１３】
前記判定工程において、前記面付け設定の種類が、折り丁と判定された場合に、
前記決定工程では、折り処理後の断裁時に先頭ページとなる前記文書データのページ番号を有するページを、前記断裁目印の位置として決定し、先頭ページとならないページ番号を有するページは、断裁目印の位置として決定しないことを特徴とする請求項１１に記載の印刷データ生成装置の制御方法。
【請求項１４】
前記判定工程において、前記面付け設定の種類が、ペラと判定された場合に、
前記決定工程では、断裁される用紙群の先頭の用紙に配置される文書データの全てのページについて前記断裁目印の位置を決定することを特徴とする請求項１１に記載の印刷データ生成装置の制御方法。
【請求項１５】
前記先頭の用紙とは、前記印刷データを印刷した印刷物が前記断裁工程において断裁される際に、最上面に位置する用紙であることを特徴とする請求項１１乃至１４のいずれか１項に記載の印刷データ生成装置の制御方法。
【請求項１６】
印刷周期の設定を受け付ける周期設定工程を更に備え、
前記決定工程では、前記印刷周期の先頭に位置する用紙における前記断裁目印の位置が決定され、
前記印刷データ生成工程では、決定された前記位置に従い、前記印刷周期の先頭に位置する用紙に該断裁目印を含む印刷データが生成されることを特徴とする請求項１１乃至１５のいずれか１項に記載の印刷データ生成装置の制御方法。
【請求項１７】
前記印刷データ生成工程では、
前記印刷周期の先頭に位置する用紙の排紙位置の変更を指示する配置位置変更コマンドを含めて前記印刷データが生成されることを特徴とする請求項１６に記載の印刷データ生成装置の制御方法。
【請求項１８】
前記断裁目印には、少なくとも、前記印刷すべき文書データのページ間の断裁位置を示す第１の目印、及び、前記ページのコーナーにおける断裁位置を示す第２の目印のいずれかが含まれることを特徴とする請求項１１乃至１７のいずれか１項に記載の印刷データ生成装置の制御方法。
【請求項１９】
前記決定工程では、ページの中心位置を示す第３の目印及び用紙の折り位置を示す第４の目印を含めて前記断裁目印の位置が決定され、
前記印刷データ生成工程では、前記断裁目印が含まれる用紙にのみ前記第３及び第４の目印を含めて前記印刷データを生成することを特徴とする請求項１１乃至１７のいずれか１項に記載の印刷データ生成装置の制御方法。
【請求項２０】
前記設定受付工程において、前記位置制御を行わないとの設定を受け付けた場合に、前記決定工程では、前記印刷すべき文書データの全てのページに対応する全ての用紙について、前記断裁目印の位置が決定され、
前記印刷データ生成工程では、決定された前記断裁目印の位置に従い、前記全ての用紙に対して該断裁目印を含む印刷データが生成されることを特徴とする請求項１１乃至１９のいずれか１項に記載の印刷データ生成装置の制御方法。
【請求項２１】
請求項１１乃至２０のいずれか１項に記載の印刷データの生成装置の制御方法をコンピュータに実行させるためのコンピュータプログラム。
【請求項２２】
請求項２１に記載のコンピュータプログラムを格納したコンピュータで読み取り可能な記憶媒体。
【手続補正２】
【補正対象書類名】明細書
【補正対象項目名】０００９
【補正方法】変更
【補正の内容】
【０００９】
上記課題を解決するための本発明は、印刷データ生成装置であって、印刷すべき文書データについて断裁目印の位置制御を行うか否かの設定を受け付ける設定受付手段と、該印刷すべき文書データの面付け設定の種類を判定する判定手段と、前記位置制御を行うとの設定を受け付けた場合に、前記判定手段における判定結果に基づき、前記印刷すべき文書データが配置される用紙における断裁目印の位置を決定する決定手段と、前記決定手段により決定された断裁目印の位置に従って、該断裁目印を表す描画データを生成する断裁目印データ生成手段と、前記文書データと前記描画データとから印刷データを生成する印刷データ生成手段とを備え、前記断裁目印データ生成手段は、断裁される用紙群の先頭の用紙に対して断裁目印が付加され、先頭とならない用紙に対して断裁目印が付加されないように、断裁目印を表す描画データを生成することを特徴とする。